(57)【要約】      （修正有）【課題】医療廃棄物収納容器ホルダへ載置される容器に蓋体を装着する際、直接手で触れることを極力減らし、勢いよく蓋体を開閉した場合も蓋体支持部から蓋体が落下すること防ぎ、蓋体上面に上肢を突いた場合でも、蓋体が蓋体支持部から容易には外れることのないホルダを提供する。【解決手段】ホルダの蓋体受部５には、蓋体の上面を覆うように形成されたアッパー部と、アッパー部の両側から下方に延在するサイド部５ｂと、サイド部５ｂの下端から内側に向かって延在するとともに、前記蓋体の下部両側に係合して支持するサイド係合部５ｃと、前記アッパー部の後側から下方に延在するバック部５ｄと、バック部５ｄの下端から前方に向かって延在するとともに、前記蓋体の下部後側に係合して支持するバック係合部５ｅとからなる。【選択図】図３
2014236790.tif 000002
【特許請求の範囲】
【請求項１】
容器体（Ｃ）と蓋体（Ｂ）とからなる医療廃棄物収納容器（Ａ）を収納する台座（１）と、
前記台座（１）の背面側に立設された支柱部（２）と、
連結部材（３）を介して前記支柱部（２）の上端部に回動自在に支持された蓋体支持部（７）と、
前記蓋体支持部（７）の前面側に設けられ、蓋体（Ｂ）を受容する蓋体受部（５）と、
連結部材（１０）を介して前記蓋体支持部（７）の下面部の回動自在に支持される開閉ロット（１１）と、
前記開閉ロット（１１）の下端部に回動自在に支持され、台座（１）の下方を前へ延在する開閉ペダルロッド（１４）と、
前記開閉ペダルロッド（１４）の前端部に取付けられた開閉足踏みペダル（１５）とからなる医療廃棄物収納容器ホルダであって、
前記蓋体受部（５）は、
前記蓋体（Ｂ）の上面を覆うように形成されたアッパー部（５ａ）と、
前記アッパー部（５ａ）の両側から下方に延在するサイド部（５ｂ）と、
前記サイド部（５ｂ）の下端から内側に向かって延在するとともに、前記蓋体（Ｂ）の下部両側に係合して支持するサイド係合部（５ｃ）と、
前記アッパー部（５ａ）の後側から下方に延在するバック部（５ｄ）と、
前記バック部（５ｄ）の下端から前方に向かって延在するとともに、前記蓋体（Ｂ）の下部後側に係合して支持するバック係合部（５ｅ）と、
からなることを特徴とする医療廃棄物収納容器ホルダ。
【請求項２】
前記アッパー部（５ａ）の先端部は、前方に向かって上り傾斜状に形成されたガイド片（5ｆ）を有することを特徴とする請求項１記載の医療廃棄物収納容器ホルダ。
【請求項３】
前記バック係合部（5ｅ）は、前方に向かって下り傾斜状に形成されたガイド片（5ｇ）を有することを特徴とする請求項１又は２記載の医療廃棄物収納容器ホルダ。
【請求項４】
前記サイド部（５ｂ）は、前側が前方に向かって下り傾斜状に形成されたことを特徴とする請求項１から３のいずれか１項に記載の医療廃棄物収納容器ホルダ。
【請求項５】
前記アッパー部（５ａ）の裏面には、前記蓋体（Ｂ）の上面の一部を係止する係止金具（６）が設けられていることを特徴とする請求項１から４のいずれか１項に記載の医療廃棄物収納容器ホルダ。
【請求項６】
前記アッパー部（５ａ）の裏面、前記サイド部（５ｂ）の内側面、及び前記バック部（５ｄ）の前方面の、少なくとも一方にゴムシートを貼付したことを特徴とする請求項１から５のいずれか１項に記載の医療廃棄物収納容器ホルダ。
【請求項７】
前記支柱部（２）の背面上部に、ストッパー（１２）を設けたことを特徴とする請求項１から６のいずれか１項に記載の医療廃棄物収納容器ホルダ。
【発明の詳細な説明】
【技術分野】
【０００１】
本発明は病院などの医療機関に設置する医療廃棄物収納容器（以下、単に容器という）を載置する医療廃棄物収納容器ホルダ（以下、単にホルダという）の蓋体受部（５）に関する。
【背景技術】
【０００２】
今日医療機関での感染性医療廃棄物や感染性一般廃棄物用の密閉容器の取扱いについては、ＭＲＳＡ、ＡＩＤＳなどの血液感染が問題視されていることから、感染防止のため、使用済注射針、血液回路チューブおよびシリンジなどの医療廃棄物は専用の合成樹脂製の密閉容器に収納し、専門業者に委託し、収納容器ごと医療廃棄物処理場で焼却、最終処分されている。
【０００３】
一方、医療現場において多忙極まる医師や看護師などはこれら容器に直接手を触れて蓋体の開閉や容器体と蓋体との塞閉・密閉をすることも多い。
【０００４】
しかしながら感染予防の観点からすれば、蓋体の開閉には、可能な限り直接手を触れることなく作業することが望ましい。
【０００５】
特許文献１の考案では手を触れずに蓋体を開閉する手段が開示されている。
【０００６】
該考案は、容器の蓋部を把持する把持部をもち、この把持部は蓋部の端面抑えるL字状フックと蓋部のもう一方の端面を抑える締め付け金具と、その締め付け金具を抑える傾斜付L字状抑え金具及び締め付け金具を上下に移動させる摘子とそれらを接続固定する蓋体把持部から構成されている。
【先行技術文献】
【特許文献】
【０００７】
【特許文献１】実用新案登録第３１２７１０４号公報
【発明の概要】
【発明が解決しようとする課題】
【０００８】
しかし、特許文献１では容器の蓋部をL字状フックと締め付け金具を用いてネジ止めにて挟んで把持するため、ネジの締め付け具合により、又はペダルを強く踏んだ際、開閉途中の蓋部に過度の下向きの力が加わるため、蓋部が把持部から外れ落下しやすいという問題がある。
【０００９】
また、当該ホルダは病棟など直接患者などが触れる場所に置かれることも多く、当該ホルダの近くで身体の不調な患者などがふらついてバランスを崩し、上肢がホルダに載置される容器の蓋体上面に身体を支えるため突くなどした場合、その反動で蓋体がホルダの把持部から外れ使用済みの注射針や血液などが付着したガーゼなどが廃棄されている容器内へ上肢ごと転倒するという危険性もある。
【００１０】
そこで本発明では以上のような問題解決するために、以下の（Ｉ）から（ＩＩＩ）までを課題とする。
（Ｉ）ホルダへ載置される容器に蓋体を装着する際、直接手で触れることを極力減らし、
（ＩＩ）強く蓋体を開閉した際も、蓋体支持部から蓋体が落下すること防ぎ、
（ＩＩＩ）蓋体上面に上肢を突いた場合でも、蓋体が蓋体支持部から容易には外れることのないホルダを提供することを目的とするものである。
【課題を解決するための手段】
【００１１】
上記の課題を解決するために請求項１の発明は、容器体（Ｃ）と蓋体（Ｂ）とからなる医療廃棄物収納容器（Ａ）を収納する台座（１）と、前記台座（１）の背面側に立設された支柱部（２）と、連結部材（３）を介して前記支柱部（２）の上端部に回動自在に支持された蓋体支持部（７）と、前記蓋体支持部（７）の前面側に設けられ、蓋体（Ｂ）を受容する蓋体受部（５）と、連結部材（１０）を介して前記蓋体支持部（７）の下面部の回動自在に支持される開閉ロット（１１）と、前記開閉ロット（１１）の下端部に回動自在に支持され、台座（１）の下方を前へ延在する開閉ペダルロッド（１４）と、前記開閉ペダルロッド（１４）の前端部に取付けられた開閉足踏みペダル（１５）とからなる医療廃棄物収納容器ホルダであって、前記蓋体受部（５）は、前記蓋体（Ｂ）の上面を覆うように形成されたアッパー部（５ａ）と、前記アッパー部（５ａ）の両側から下方に延在するサイド部（５ｂ）と、前記サイド部（５ｂ）の下端から内側に向かって延在するとともに、前記蓋体（Ｂ）の下部両側に係合して支持するサイド係合部（５ｃ）と、前記アッパー部（５ａ）の後側から下方に延在するバック部（５ｄ）と、前記バック部（５ｄ）の下端から前方に向かって延在するとともに、前記蓋体（Ｂ）の下部後側に係合して支持するバック係合部（５ｅ）と、
からなることを特徴とする。
【００１２】
請求項２の発明は、前記アッパー部（５ａ）の先端部は、前方に向かって上り傾斜状に形成されたガイド片（5ｆ）を有することを特徴とする。
【００１３】
請求項３の発明は、前記バック係合部（5ｅ）は、前方に向かって下り傾斜状に形成されたガイド片（5ｇ）を有することを特徴とする。
【００１４】
請求項４の発明は、前記サイド部（５ｂ）は、前側が前方に向かって下り傾斜状に形成されたことを特徴とする。
【００１５】
請求項５の発明は、前記アッパー部（５ａ）の裏面には、前記蓋体（Ｂ）の上面の一部を係止する係止金具（６）が設けられていることを特徴とする。
【００１６】
請求項６の発明は、前記アッパー部（５ａ）の裏面、前記サイド部（５ｂ）の内側面、及び前記バック部（５ｄ）の前方面の、少なくとも一方にゴムシートを貼付したことを特徴とする
請求項７の発明は、前記支柱部（２）の背面上部に、ストッパー（１２）を設けたことを特徴とする
【発明の効果】
【００１７】
本発明のホルダによれば以下のような効果が得られる。
（Ｉ）開閉足踏みペダル（１５）を踏動するだけで容易に、容器体（Ｃ）や蓋体（Ｂ）、台座（１）や前記蓋体支持部（７）を直接手で触れることなく蓋体（Ｂ）を前記蓋体受部（５）へ受容して蓋体支持部（７）にて保持し蓋体（Ｂ）を開閉することができるので、院内感染の原因となる廃血液や病原微生物などが人体に付着する可能性が一段と少なくなり、感染予防の点で優れているという効果が得られる。
（ＩＩ）前記蓋体受部（５）上記のように構成したことで、勢いよく蓋体を開閉した場合でも、前記蓋体受部（５）から蓋体（Ｂ）が落下することがないという効果が得られると伴に、蓋体（Ｂ）上面に上肢を突いても、蓋体（Ｂ）は前記蓋体受部（５）から容易には外れることがないという効果が得られる
（ＩＩＩ）前記蓋体受部（５）にはガイド片（5ｆ）及びガイド片（5ｇ）を設け、また、前記サイド部（５ｂ）の前側が前方に向かって下り傾斜状に形成させたことでで、蓋体（Ｂ）を容易に前記蓋体受部へ受容することができるという効果が得られる。
（ＩＶ）前記アッパー部（５ａ）の裏面に係止金具（６）が設けることで、前記蓋体（Ｂ）の上面の一部を係止し、蓋体の前方への飛出しを防ぐことができるという効果が得られる。
（Ｖ）前記支柱部（２）の背面上部に、ストッパー（１２）を設けたことで、前記蓋体支持部（７）開閉時に、前記蓋体支持部（７）が障壁にあたり、蓋体支持部（７）や建物の壁の損傷を防ぐことができるという効果がある。
（ＶＩ）前記アッパー部（５ａ）の裏面、前記サイド部（５ｂ）の内側面、及び前記バック部（５ｄ）の前方面の、少なくとも一方にゴムシートを貼付したことで、前記蓋体受部（５）へ受容される蓋体（Ｂ）との摩擦が生じやすくなり、（ＩＶ）と同様な効果が得られるとともに、蓋体（Ｂ）開閉時に伴う防振及び防音効果が得られる。
【図面の簡単な説明】
【００１８】
【図１】本発明にかかるホルダを示した左側面図。
【図２】（ａ）〜（ｃ）は蓋体受部（５）を示した正面図、平面図及び底面図。
【図３】蓋体受部（５）を示した斜視図。
【図４】（ａ）〜（ｃ）は蓋体（Ｂ）の蓋体受部（５）への受容を示した図。
【図５】蓋体受部（５）が蓋体（Ｂ）を支持した状態を示した左側面図。
【発明を実施するための形態】
【００１９】
＜実施例＞
以下図１から５を参照しながら本発明の構成について説明する。
【００２０】
本発明に係るホルダは、廃棄物収納容器（Ａ）を収納設置する立方形状からなる台座（１）と、前記台座（１）の背面側に立設される平坦な板状からなる支柱部（２）と、該支柱部（２）の上端部に設けられる蝶番等の連結部材（３）を介して平坦な板状からなる蓋体支持部（７）が回動自在に支持されて構成される。
【００２１】
前記蓋体支持部（７）の前面側には蓋体（Ｂ）を着脱自在に受容可能な平坦な板状を屈曲形成した蓋体受部（５）が設けられている。
【００２２】
該蓋体支持部材（７）を介して前記蓋体受部（５）を押上げて開閉するための板棒状の開閉ロット（１１）が、前記蓋体支持部材（７）の下面下端部と前記開閉ロット（１１）の上端部とがボルトとナットから構成される連結部材（１０）により回動自在に支持されている。
【００２３】
前記台座（１）の下部には、台座（１）前面方向へ延在する板棒状の開閉ペダルロッド（１４）が設置され、前記開閉ペダルロッド（１４）の後面方向の端部と、前記開閉ロット（１１）の下端部とがボルトとナットから構成される連結部材により回動自在に支持されている。
【００２４】
また、前記開閉ペダルロッド（１４）の前端部には、平坦な板状からなる開閉足踏みペダル（１５）が取付けられている。
【００２５】
前記支柱部（２）の背面上部にはストッパー（１２）を取付けられている。
【００２６】
また、前記開閉ロッド（１１）と前記開閉ペダルロッド（１４）の連結部には緩衝装置（１３）の一端を連結し、他端を前記支柱部（２）の背面側に固定されている。
【００２７】
次に本願発明の蓋体受部（５）の構成について詳細に説明する。
【００２８】
前記蓋体受部（５）は、図２及び図３に示すように、前記蓋体（Ｂ）の上面の一部又は全面（図示せず）を覆う平坦な板状からなるアッパー部（５ａ）が備えられている。
【００２９】
前記アッパー部（５ａ）の両側には、前記蓋体（Ｂ）の厚み幅程度に下方に延在するサイド部（５ｂ）を屈曲形成し、前記サイド部（５ｂ）の下端には、内側に向かって延在するようにサイド係合部（５ｃ）が屈曲形成されている。
【００３０】
また、前記アッパー部（５ａ）の後側には、前記蓋体（Ｂ）の厚み幅程度に下方に延在するバック部（５ｄ）を屈曲形成し、前記バック部（５ｄ）の下端には、前方に向かって延在するようにバック係合部（５ｅ）が屈曲形成されている。
【００３１】
また、前記アッパー部（５ａ）の前側先端部には、前方に向かって上り傾斜状のガイド片（5ｆ）を形成し、他方、前記アッパー部（５ａ）の後側を構成する前記バック係合部（5ｅ）には前方に向かって下り傾斜状に形成されたガイド片（5ｇ）がそれぞれ形成されている。
【００３２】
また、前記サイド部（５ｂ）は、前側が前方に向かって下り傾斜状に形成されている。
【００３３】
更に、前記アッパー部（５ａ）の裏面には、前記蓋体（Ｂ）の上面の一部を係止する係止金具（６）が設けられている。
【００３４】
具体的には、蓋体（Ｂ）を前記蓋体受部（５）の奥まで受容した際、蓋体（Ｂ）上面の外周部に形成される凹部の位置に、平坦な板状を短手方向に略く字状に形成した凸状の係止金具（６）が前記アッパー部（５ａ）の裏面に溶接される。
【００３５】
なお、本実施例ではこの係止金具（６）前記蓋体受部（５）の後側ないしバック部（５ｄ）近傍に設けられているが、蓋体の上面形状によっては、前記係止金具（６）を前記サイド部（５ｂ）より内側近傍に設けることも、また複数設けることも可能である。
【００３６】
また、アッパー部（５ａ）の裏面や、前記サイド部（５ｂ）の内側面、及び前記バック部（５ｄ）の前方面にゴムシートが貼付されている。
【００３７】
以下本発明に係るホルダの動作及び効果について説明する。
【００３８】
このように前記ホルダは、前記開閉足踏みペダル（１５）からの動力を前記開閉ペダルロッド（１４）を介して前記開閉ロット（１１）に伝え、前記開閉ロット（１１）は、前記蓋体支持部（７）を介して前記蓋体受部（５）を押上げ開閉するリンク機構として作動する。
【００３９】
ここで、前記支柱部（２）は平坦な板材を採用することで板材の弾性力により蓋体（Ｂ）の開閉時の衝撃の一部を吸収し、装置の耐久性を保持する効果があるとともに、その他の部材（台座（１）、蓋体支持部材（７）、蓋体受部（５）等）についても平坦な板材を多用することで仮に汚れが付着しても素早く拭取ることができる。
【００４０】
また、前記支柱部（２）の背面上部にはストッパー（１２）を取付けることで、前記蓋体支持部（７）開閉時に、前記蓋体支持部（７）が障壁にあたり、蓋体支持部（７）や建物の壁の損傷を防ぐことができる。
【００４１】
更に、前記開閉ロッド（１１）と前記開閉ペダルロッド（１４）の連結部には緩衝装置（１３）の一端を連結し、他端を前記支柱部（２）の背面側に固定することで、前記蓋体受部（５）の開閉がスムーズに行われるとともに、強く前記開閉足踏みペダル（１５）を踏み込んだ場合でも、前記蓋体受部（５）に受容する蓋体（Ｂ）に伝わる遠心力を制御し、前記蓋体受部（５）からの蓋体（Ｂ）の飛出しを防ぐことができる。
【００４２】
前記蓋体受部（５）を形成する前記アッパー部（５ａ）の両側には、前記サイド部（５ｂ）を介してサイド係合部（５ｃ）を形成し、前記アッパー部（５ａ）の後側には、バック部（５ｄ）を介してバック係合部（５ｅ）を形成することで、前記蓋体受部（５）に受容される蓋体（Ｂ）を、前記蓋体（Ｂ）の下部を係合し支持することが可能となり、従来例のように、ネジ止めする手間を省くことができる。
【００４３】
またこのように構成することで前記蓋体受部（５）から蓋体（Ｂ）が落下することがなく、また、蓋体（Ｂ）上面に上肢を突いた場合でも、蓋体（Ｂ）は前記蓋体受部（５）から容易には外れることがない。
【００４４】
更に、前記サイド係合部（５ｃ）、及びバック係合部（５ｅ）の端辺にガイド片（5ｆ）及びガイド片（5ｇ）が形成し、また、前記サイド部（５ｂ）の前側を前方に向かって下り傾斜状に形成することで、蓋体（Ｂ）の前記蓋体受部（５）への受容が容易となるため多忙な医療関係者の作業効率が著しく向上する。
【００４５】
前記アッパー部（５ａ）の裏面に設けられる係止金具（６）は、図４に示すように、前記蓋体（Ｂ）を前記蓋体受部（５）へ奥まで強く押し込む過程で、前記係止金具（６）が蓋体（Ｂ）を若干歪曲させ、前記蓋体（Ｂ）が前記蓋体受部（５）の奥まで押し込まれた段階で凸状の係止金具（６）が蓋体（Ｂ）上面の外周部に形成される凹部に嵌合し固定される。
【００４６】
このように前記係止金具（６）が蓋体（Ｂ）上面に嵌合することで、前記ホルダが転倒した場合でも蓋体（Ｂ）は前記蓋体受部（５）から外れず、蓋体（Ｂ）が前記蓋体受部（５）から飛出すことがないとともに、容器体（Ｃ）に廃棄された内容物の散乱を防ぐことができる。
【００４７】
また、アッパー部（５ａ）の裏面や、前記サイド部（５ｂ）の内側面、及び前記バック部（５ｄ）の前方面にゴムシートを貼付することで、蓋体（Ｂ）との間に摩擦力が生じ、前記蓋体受部（５）からの蓋体（Ｂ）の飛出しを防ぐ効果があるとともに、蓋体（Ｂ）開閉時に伴う防振及び防音効果を得ることができる。
【符号の説明】
【００４８】
１    台座
２    支柱部
３    連結部材
５    蓋体受部
５ａ  アッパー部
５ｂ  サイド部
５ｃ  サイド係合部
５ｄ  バック部
５ｅ  バック係合部
６  係止金具
７    蓋体支持部
１０    連結部材
１１    開閉ロット
１２    ストッパー
１３    緩衝装置
１４    開閉ペダルロッド
１５    開閉足踏みペダル
Ａ  医療廃棄物収納容器
Ｂ  医療廃棄物収納容器の蓋体
Ｃ  医療廃棄物収納容器の容器体
【図１】
2014236790.tif 000003
【図２】
2014236790.tif 000004
【図３】
2014236790.tif 000005
【図４】
2014236790.tif 000006
【図５】
2014236790.tif 000007